(57)【特許請求の範囲】
【請求項１】
前部、後部、および前記前部と前記後部との間に位置する側部を有するパンツ本体を備えたスポーツ用パンツであって、
前記パンツ本体は、
前記側部の膝上領域に配置され、パンツ本体の身生地を貫通するとともに縦方向に延びた細長い形状の通気口と、
前記前部側にのみ開口した開口部を有するようにして前記通気口を覆う覆い部と、
前記後部に配置され、パンツ本体の身生地を貫通する排気口と、を有するスポーツ用パンツ。
【請求項２】
前記覆い部は、少なくとも前記開口部側の縁部の長さが前記通気口の長手方向の長さよりも長く、且つパンツ本体を形成する身生地よりも剛軟度が高い請求項１記載のスポーツ用パンツ。
【請求項３】
前記覆い部は、前記開口部側から奥に向かって次第に狭まる形状となるように前記パンツ本体の身生地に周囲が縫製されている請求項１または２記載のスポーツ用パンツ。
【請求項４】
前記通気口および前記排気口が高通気性生地によって塞がれている請求項１〜３のいずれかに記載のスポーツ用パンツ。
【請求項５】
前記高通気性生地がメッシュ生地である請求項４記載のスポーツ用パンツ。
【請求項６】
前記パンツ本体は、前記通気口の前記開口部側の縁に沿って配置された、パンツ本体の身生地よりも剛性の高い高剛性部をさらに有する請求項１〜５のいずれかに記載のスポーツ用パンツ。
【請求項７】
前記覆い部は、平面視したときに前記開口部側の縁部が円弧状に凹んでいる請求項１〜６のいずれかに記載のスポーツ用パンツ。
【請求項８】
前記通気口が、着用者の鼠径部と交差する位置に設けられている請求項１〜７のいずれかに記載のスポーツ用パンツ。
【請求項９】
前記覆い部の前記開口部側の縁部は、前記通気口の長手方向の長さに対し、１０４％から１０８％の長さに設定されている請求項１〜８のいずれか１項に記載のスポーツ用パンツ。
【請求項１０】
前記パンツ本体を形成する身生地の剛軟度が、２０ｍｍ〜１５０ｍｍである請求項１〜９のいずれか１項に記載のスポーツ用パンツ。
【請求項１１】
前記パンツ本体は、前記通気口の上端側および下端側に配置された前記覆い部を形成する生地よりも重い加重部を有する請求項１〜１０のいずれか１項に記載のスポーツ用パンツ。
【請求項１２】
前記加重部は、互いに重ねて縫製された複数層の生地からなり、前記複数層の生地は前記覆い部を形成する生地と同じ生地である請求項１１項に記載のスポーツ用パンツ。
【請求項１３】
前記パンツ本体は、裾部が膝上に位置している請求項１〜１２のいずれか１項に記載のスポーツ用パンツ。
【請求項１４】
前部、後部、および前記前部と前記後部との間に位置する側部を有するパンツ本体を備えたスポーツ用パンツであって、
前記パンツ本体は、
前記側部に配置され、且つパンツ本体の身生地を貫通し、縦方向に延びた細長い形状の通気口と、
前記前部側にのみ開口した開口部を有するようにして前記通気口を覆う覆い部と、を有し、
前記覆い部は以下の要件（ａ）〜（ｃ）を満たす、スポーツ用パンツ。
（ａ）前記開口側の縁の長さが前記通気口の長手方向の長さよりも長い。
（ｂ）前記覆い部を構成する生地の剛軟度が前記パンツ本体を構成する生地の剛軟度よりも高い。
（ｃ）着用者の立位姿勢の状態で前記開口部が閉じており、腰を落とした状態で前記開口部が開く。
【発明の詳細な説明】
【技術分野】
【０００１】  この発明は、スポーツ用パンツ係り、特に運動中にパンツ内部の通気を高めてパンツ内部の冷却効果を向上させるものに関する。
【背景技術】
【０００２】  テニスなど比較的長時間にわたって連続して運動を行った場合、一般的に体温は大きく上昇する傾向にあり、衣服内に熱気が溜まる。【０００３】  このような、衣服内に溜まった熱気を衣服外に逃がすために、衣服内に空気を導入する通気口を衣服に設けるようにしたものが、特許文献１等に開示されている。
【先行技術文献】
【特許文献】
【０００４】
【特許文献１】特開２０１５−１４５５３９号公報
【発明の概要】
【発明が解決しようとする課題】
【０００５】  この特許文献１には、大腿部の外側面に、開口部を上下方向に大きく設け、さらに、前面からの風を受け止める保形性を有する風受け部を設けた運動用のパンツが開示されている。【０００６】  ところが、大腿部の外側面の開口部からパンツ内に空気を導入しようとしても、パンツ内おける空気の流れが確保されなければ、開口部からパンツ内に空気が十分に導入されず、パンツ内の換気が起こりにくくなる。その場合、運動時における冷却効果が十分に得られない。【０００７】  そこで、この発明は冷却効果のより高いスポーツ用パンツを提供することを目的とする。
【課題を解決するための手段】
【０００８】  この発明の一態様に係るスポーツ用パンツは、前部、後部、および前記前部と前記後部との間に位置する側部を有するパンツ本体を備え、前記パンツ本体は、前記側部の膝上領域に配置され、パンツ本体の身生地を貫通するとともに縦方向に延びた細長い形状の通気口と、前記前部側に開口した開口部を有するようにして前記通気口を覆う覆い部と、前記後部に配置され、パンツ本体の身生地を貫通する排気口とを有する。【０００９】  また、この発明の一態様に係るスポーツ用パンツは、前部、後部、および前記前部と前記後部との間に位置する側部を有するパンツ本体を備え、前記パンツ本体は、前記側部に配置され、且つパンツ本体の身生地を貫通し、縦方向に延びた細長い形状の通気口と、前記前部側に開口した開口部を有するようにして前記通気口を覆う覆い部と、を有し、  前記覆い部は以下の要件（ａ）〜（ｃ）を満たす。（ａ）前記開口側の縁の長さが前記通気口の長手方向の長さよりも長い。（ｂ）前記覆い部を構成する生地の剛軟度が前記パンツ本体を構成する生地の剛軟度よりも高い。（ｃ）着用者の立位姿勢の状態で前記開口部が閉じており、腰を落とした状態で前記開口部が開く。
【発明の効果】
【００１０】  上記構成を有するスポーツ用パンツによれば、パンツ内における空気の流れが促進され、運動中にパンツの内部に十分な量の空気を取り込むことができる。これにより、パンツ内の通気によって熱気をパンツの外部に効果的に排出し、パンツ内部の冷却効果を高めることができる。【００１１】  また運動動作に入る前の立位状態においては、通気口が覆い部によって隠れた状態となるためデザイン性にも優れる。
【図面の簡単な説明】
【００１２】
【図１】この発明の実施形態に係るスポーツ用パンツの正面図である。
【図２】図１の実施形態の覆い部を取り除いた状態を示す正面図である。
【図３】この発明の実施形態に係るスポーツ用パンツの背面図である。
【図４】図３の実施形態の覆い部を取り除いた状態を示す背面図である。
【図５】この発明の実施形態に係るスポーツ用パンツを前方側から見た斜視図である。
【図６】図５の実施形態の覆い部を取り除いた状態を示す斜視図である。
【図７】この発明の実施形態に係るスポーツ用パンツを着用して股関節を屈曲させた状態の正面図である。
【図８】この発明の実施形態に係るスポーツ用パンツを着用して股関節を屈曲させた状態を前方側から見た斜視図である。
【図９】覆い部の平面形状のバリエーションを示す平面図である。
【図１０】通気口の位置と回旋動作時における空気取り込み量の関係を示す説明図である。
【図１１】実験例１の結果を示すグラフである。
【図１２】実験例２の結果を示すグラフである。
【図１３】実験例３の結果を示すグラフである。
【図１４Ａ】側部領域を説明するための図であり、スポーツ用パンツの正面図である。
【図１４Ｂ】側部領域を説明するための図であり、スポーツ用パンツの背面図である。
【図１５】覆い部およびその周辺の拡大平面図である。
【図１６】実験例に用いたサーマルマネキンの測定部位を示す図である。
【図１７】実験例４の結果を示すグラフである。
【図１８】実験例５の結果を示すグラフである。
【発明を実施するための形態】
【００１３】  以下、この発明のスポーツ用パンツ１の実施形態を、テニス用パンツを例にして説明する。
【００１４】  図１は、本実施形態のスポーツ用パンツ１の立位状態の正面図、図３はその背面図、図５はその前方からの斜視図である。図２、図４、図６はそれぞれ図１、図３、図５において覆い部を外した状態の図である。これらの図に示すスポーツ用パンツ１は、半ズボンの形態であり、裾部が膝上に位置している。なお、以下ではスポーツ用パンツ１としてテニス用パンツの例を説明する。
【００１５】  この実施形態のスポーツ用パンツ１を構成するパンツ本体は、図１、図３及び図５に示すように、人体における前面側を覆う前部２と、背面側を覆う後部３と、側面部を覆う側部１５と、股の部分に配置されたマチ４とを備えている。ここで側部１５とは、図１４Ａおよび図１４Ｂに示すように、股の頂点Ｃを通って縦方向に延びる仮想ラインＬが中心に位置するようにパンツを平置きしたときに、正面側、背面側それぞれについて左右の縁から５ｃｍの幅を取った部分（同図におけるパンツ本体の左右の縁とそれに平行な二点鎖線との間の領域）をいう。また、前部２とは前身頃のうち側部１５を除いた部分であり、後部３とは後身頃のうち側部１５を除いた部分である。  その他、スポーツ用パンツ１は腰の周囲に配置されたゴムの入った伸縮ベルト部５と、前部２の腰部分の少し下方の左右両側に配置されたポケット６を備えている。
【００１６】  前部２には、図２及び図６に示すように、パンツ本体の生地を貫通し、縦方向に細長い形状の通気口７が設けられている。本実施形態における通気口７の平面形状は略長方形である。通気口７の平面形状が略長方形の場合、その大きさは、例えば、長辺が５ｃｍ〜２５ｃｍ、短辺が３ｃｍ〜５ｃｍである。なお、通気口７の平面形状は長方形に限らず、楕円状、ひし形状など細長い形状であればどのような形状であってもよい。
【００１７】  本実施形態において通気口７は、側部１５から前部２にかけて形成されており、長辺が縦方向に対してやや傾いた状態で配置されている。通気口７の長辺がパンツ本体の縁となす角度α（図２）は、例えば、１°〜８０°である。また、通気口７の上端の位置はポケット６の下端の位置とほぼ一致している。一方、通気口７の下端はパンツ本体の裾よりも１０ｃｍ程度上方に位置している。
【００１８】  通気口７は、全体が高通気性生地１２によって塞がれており、高通気性生地１２の縁周りは通気口７周囲の生地に縫製されている。高通気性生地１２は、例えば、メッシュ生地や複数の孔を有する布帛といった通気性の高い生地である。なかでもメッシュ生地は、通気性が高くかつ軽いため高通気性生地１２として好ましい。
【００１９】  通気口７の表面側は、覆い部８によって覆われている。これにより、立位状態において通気口７から着用者の肌や下着、あるいは高通気性生地１２の露出が抑制されるためスポーツ用パンツ１のデザイン性を大きく損ねることがない。
【００２０】  覆い部８は２つの短辺および２つの長辺のうちの後部側の長辺の計３辺がパンツ本体の身生地に縫製され、前部側の長辺は縫製されていない。このようにして覆い部８が身生地に縫製されることによって、覆い部８は前部側に開口部９を有するようにして通気口７を覆った状態となっている。また、覆い部８は少なくとも開口部９側の縁部の長さが通気口７の長手方向の長さよりも長く、且つパンツ本体を形成する生地よりも剛軟度が高い生地からなる。
【００２１】  このような覆い部８を設けることによって、立位状態から腰を落とした状態に遷移する際に開口部９の開閉機能を覆い部８に持たせることができる。
【００２２】  この開閉機能をより具体的に説明する。図１及び図５に示す立位状態から図７及び図８に示した腰を少し落とした状態になった際に股関節部分の身生地に発生する皺や襞の変形が、覆い部８の長手方向の両端に伝わる。このときに図８の白抜き矢印で示したように覆い部８に対して長手方向から圧縮する力が働き、覆い部８が外方に膨らむようにして撓む。その結果、覆い部８の内側縁が身生地から離れて開口部９が形成される。
【００２３】  そして、人体の前方から受ける風は、覆い部８と身生地の間の開口部９から取り込まれ、通気口７からパンツ本体内に導入される。
【００２４】  例えば、テニスプレーヤーは、立位状態から図７及び図８に示すようにパワーポジションと呼ばれる腰を少し落とした状態で構え、それから腰を旋回させてボールを打つという一連の動作を行うが、腰を落としたときに覆い部８が開いて開口部９が形成され、旋回したときに開口部９からパンツ内部に空気が取り込まれることとなる。一方、立位状態では開口部９が閉じており、覆い部８で覆われた部分は外部からは殆ど見えない状態となっているためデザイン性を損ねることがない。なお、立位状態において、「開口部９が閉じている」とは覆い部８の縁部全体が隙間なく完全にパンツ本体に密着しているような状態のみを指すのではなく、そのような状態から部分的に形成される３ｍｍ程度までの隙間は許容する。一方、腰を落とした状態において「開口部９が開いている」とは覆い部８の縁部がパンツ本体の身生地から少なくとも２ｃｍ以上離れた部分を有している状態をいう。
【００２５】  覆い部８は、開口部９側の縁の長さが通気口７の長辺の長さよりも長く、且つパンツ本体を形成する生地よりも剛軟度が高い生地によって形成されている。また覆い部８はある程度通気度の低い素材からなり、少なくともパンツ本体部の身生地の通気度よりは低い。その通気度は、例えば、４〜８ｃｍ３／ｃｍ２・ｓである。覆い部８をこのように形成することによって、正面側から流れてくる空気に対して覆い部８が型崩れしにくく、且つ帆を張るようにして空気を受け止め、その空気を通気口７からパンツ本体内に流入させることができる。
【００２６】  覆い部８の開口部側の縁の長さは、上述のように通気口７の長辺よりも長くなるように、例えば、通気口７の長辺の長さに対して１０４％〜１０８％の大きさになるように設定されている。この値が１０４％より小さいと着用者が腰を落としたときに覆い部８が開きにくくなる。一方、上記値が１０８％よりも大きくなると着用者の立位状態においても、覆い部８が大きく開いた状態となりやすく、着用者の肌や下着、あるいは高通気性部１２が見えやすい状態となりデザイン性を損ねる。また、１０８％よりも大きくなると運動中に覆い部８が大きくはためいて動きやすさの阻害要因となる。したがって、覆い部８の開口部側の縁の長さは通気口７の長辺の長さに対して１０４％〜１０８％の範囲にしておくことが好ましい。
【００２７】  覆い部８の剛性は、例えば、剛軟度２５ｍｍ〜１７５ｍｍの範囲であり、パンツ本体の身生地よりも剛性が高い。覆い部８の剛軟度を身生地よりも高くする手段としては、生地の重ね合わせ、縫製の密度、糸の強さ、樹脂やシリコンプリントによる強化、芯材の使用、あるいはこれらの組み合わせといった方法をとることができる。
【００２８】  図９に覆い部８の平面形状のバリエーションの例を示す。図９は覆い部８の平面図であり、通気口７を破線で示している。覆い部８の平面形状は、例えば、図９（ａ）のように長方形、図９（ｂ）のように開口部９側が広い台形、図９（ｃ）のように開口部９側が狭い台形、図９（ｄ）のように長方形の長辺が円弧状に湾曲した形状など、通気口７を覆う形状であれば任意の形状が可能である。
【００２９】  これらのバリエーションのなかでも図９（ｂ）に示すように側辺が開口部９側から奥（開口部９と反対側）に向かうにつれて次第に狭まるような形状とすれば、広い開口部９から流入した空気が徐々に狭まる通路を流れることとなり、パンツ本体内に流入するときの空気の流入速度が加速される。なお、開口部９からパンツ本体内側に至るまでの経路が徐々に狭まっていればよいため、例えば、図９（ａ）のように覆い部８の平面形状は長方形とし、通気口７の平面形状を図９（ｂ）のように開口部９側が広い台形として、覆い部８の縫製ラインを開口部９の形状に沿うようにしてもよい。
【００３０】  また図９（ｄ）に示すように開口部９側の縁部が円弧状に凹むような形状とすれば、覆い部８に白抜き矢印で示した方向に沿う力が予め働いている状態となり、覆い部８にパンツ本体の皺などによる歪が生じた際に覆い部８がより撓みやすくなる。すなわち覆い部８がより開口しやすくなる。
【００３１】  一方、スポーツ用パンツ１の後部３には、図４に示すように排気口１０が設けられている。
【００３２】  パンツ本体の背面に設けた排気口１０は図３に示すように、覆い部１１によって覆われている。これにより、排気口１０から肌や下着が露出するのを防止している。覆い部１１は、下方縁を除いて後部３に縫着され、覆い部１１の下方縁と後部３との間に開口部１３が形成されている。
【００３３】  また、パンツ本体の背面の排気口１０には、図４に示すようにメッシュ生地などの高通気性生地１４が縫着されている。
【００３４】  パンツ本体の背面の排気口１０は、側部１５に設けた通気口７の上部からパンツ本体の背面側に向かって連続するように形成されている。
【００３５】  通気口７から排気口１０への空気の流れを促進するためには、パンツ本体と人体との間に十分な間隙を確保する必要がある。このパンツ本体内の空気の流通に必要な間隙量としては、ヒップの最大位置においてパンツ本体のサイズを例えば着用者のヒップサイズに対し１０４％〜１０８％の範囲にすればよい。
【００３６】  以下の理由から通気口７は少なくとも側部１５に配置されることが好ましい。
【００３７】  骨盤は、例えば、ランニングやジョギングにおいて正面を向いた状態から４度程度、テニスのラケットスィングの動作において正面を向いた状態から４５度程度それぞれ回旋する。人体の腰周りの断面形状は単純化すると横方向を長軸とする楕円形であるから側部１５に通気口７を配置することで回転中心からの距離が大きくなり、骨盤回旋角度変化に伴って通気口７は円弧上に最も長い距離を移動することとなる（図１０の説明図参照）。そのため、側部１５に通気口７を配置することによって、最も効率的に空気を衣服内に取り込むことが可能となる。
【００３８】  パンツ本体を形成する身生地の曲げ剛性は、覆い部８の生地の剛性よりは低いものの、ある程度高いことが望ましい。前部２の生地の剛性をある程度高くしておくことによって、着用者の屈曲動作などの際にパンツ本体の身生地に生じる皺や襞による歪が覆い部８まで到達しやすくなり、結果として覆い部８が開口しやすくなるからである。具体的には、パンツ本体を構成する身生地は、剛軟度が２０ｍｍ〜１５０ｍｍの範囲のものを使用することが好ましい。剛軟度が２０ｍｍより小さいと、身生地の歪が覆い部８まで到達しにくくなる。一方、剛軟度が１５０ｍｍよりも大きくなると着用者の運動動作の妨げになるとともに不快感を生じやすくなる。したがって、パンツ本体の身生地の剛軟度を２０ｍｍ〜１５０ｍｍの範囲とすることによって、着用者の運動動作を大きく妨げることなく不快感も抑えることができ、且つ覆い部８を開口させやすくなる。
【００３９】  図１５は覆い部８とその周辺部の拡大図である。パンツ本体は高剛性部１６を有している。具体的には、高剛性部１６は通気口７の開口部９側の縁に沿って配置されている。この高剛性部１６はパンツ本体の身生地よりも剛性が高い。このように通気口７の開口部９側の縁に沿って高剛性部１６を配置することによって、開口部９周辺の身生地が型崩れしにくくなる。これにより、開口部９が開口する際に、パンツ本体の開口部９周辺の身生地が覆い部８とともに撓むことが抑制され、開口部９が大きく開口しやすくなる。高剛性部１６の剛性は覆い部８よりも高く、例えば、その剛軟度は５０ｍｍ〜２００ｍｍである。高剛性部１６は、例えば、樹脂、芯材を間に入れた複数層の身生地などからなる。なお、高剛性部１６はパンツ本体の表側、裏側、あるいは身生地が２枚以上の生地からなる場合はその間のいずれに配置してもよいが、デザイン性を考慮すると裏側か生地の間のどちらかに配置するのがよい。
【００４０】  また、同図に示すように前記通気口７の上端および下端のそれぞれの位置には、加重部１７が設けられている。この加重部１７は少なくとも覆い部８を構成する生地よりも重い。このような加重部１７を設けることによって通気口７の上下両端部が周囲よりも重くなるため、この部分の着用者に対する垂直効力Ｎの大きさが大きくなる。そうすると、通気口７の上下両端部分における肌との摩擦力Ｆが大きくなり、その部分でアンカー効果が働いて開口部９の両端部分が肌に対して動きにくい状態となる。これにより、開口部９がより開口しやすくなる。
【００４１】  加重部１７は、例えば、覆い部８を構成する生地よりも枚数の多い生地を重ねて縫製することにより形成することができる。なお、加重部１７はパンツ本体の表側、裏側、あるいは身生地が２枚以上の生地からなる場合はその間のいずれに配置してもよいが、デザイン性を考慮すると裏側か生地の間のどちらかに配置するのがよい。
【００４２】  以上のように、パンツ本体に形成した通気口７を、ある程度硬い素材からなる覆い部８によって覆うことにより、腰を落とす動作や膝を上げる動作をしたときに通気口７を覆う覆い部８が開き易くなり、旋回運動や直進運動をしたときに身体に向かって流れてくる空気が覆い部８に当たることとなる。覆い部８に当たった空気は通気口７からパンツ本体の内部に入り込み、背面の排気口１０に向かって流れる。その結果、パンツ本体の内部に空気の流れが促進されて冷却機能が発揮される。
【００４３】  また、通気口７は立位姿勢の状態で閉じ、腰を落とした状態で開くため、ベンチレーションがそれ程必要とされない立位姿勢の状態においては、通気口７からパンツ本体の内部が見えにくくなり、デザイン性にも優れる。加えて、通気口７が閉じた状態と開いた状態との温度差が大きくなり、常に通気口７が開いた状態になっている場合に比べ、体感的に冷却効果を感じやすくなる。
【００４４】  ところで、スポーツ用パンツ１は、股関節屈曲によって鼠径部上の身生地が圧縮されるため、鼠径部周辺に大きな皺や襞が最も形成され易い。
【００４５】  したがって、ポケット６を設けていないスポーツ用パンツであれば、通気口７は鼠径部周辺に設けることが好ましい。これにより、覆い部８がより撓みやすくなり、ひいては開口部９が開口しやすくなる。
【００４６】  また、鼠径部に発生するパンツ本体の皺は、鼠径部のラインと平行に形成され易い。通気口７の角度を鼠径部のラインと平行にすると、鼠径部の皺による応力が通気口７を覆う覆い部８に伝達され難くなるため、通気口７の角度は、鼠径部と平行なラインよりも下向きで、鼠径部の皺と交差する方向に設けることが好ましい。これにより、鼠径部の皺による応力が覆い部８に伝達され易くなり、開口部９が形成され易くなる。
【００４７】（実施例）  スポーツ用パンツ１の冷却効果を確認するために、図１、図３及び図５に示すテニス用パンツを作製し効果検証を行った。（実施例の具体的構成）  ・前部２、後部３の身生地の剛軟度：２４ｍｍ  ・覆い部８の剛軟度：５１ｍｍ  ・通気口７の長辺に対する覆い部８の開口部側の縁の長さ比：１０６％  ・覆い部８の通気度：６ｃｍ３／ｃｍ２・ｓ  ・前部の２および後部３の身生地の通気度：１３ｃｍ３／ｃｍ２・ｓ  ・メッシュ生地１２の通気度：１０７ｃｍ３／ｃｍ２・ｓ  ・前部２および後部３の身生地の混紡率：ポリエステル１００％なお、剛軟度はＪＩＳ  Ｌ  １０９６Ａ法（４５°カンチレバー）に基づいて測定した値であり、通気度はフラジール形通気性試験機を用いて、ＪＩＳ  Ｌ  １０９６「織物及び編物の生地試験方法」に規定される方法により求めた値である。また、覆い部８はパンツ本体の身生地と同じ身生地２枚を間に芯材を入れて縫合したものを使用した。
【００４８】（実験例１）  実験例１として通気口７および排気口１０の有無の相違によるパンツ内部の風量の違いを調べた。具体的には実施例の通気口７および排気口１０をテープで塞いだスポーツ用パンツを比較例１とし、実施例と比較例１をマネキンに着用させて、パンツ内部における風量を比較した。なお、比較例１は実施例のスポーツ用パンツを使用して通気口および排気口を塞いだものであるから、通気口７および排気口１０が塞がれていること以外の条件は実施例と全て同じである（その他の比較例も同様）。＜実験条件＞・計測器：風速計（トーニック社製 GeY-40DA）・計測器の取り付け位置：大腿外側中央部・測定環境：無風状態の人工気象室内（室温２０℃、湿度５０％）・マネキンの姿勢：腰を落とした姿勢（立位姿勢を０°とした場合の股関節屈曲角度６０°）  このような条件のもとで、マネキン前方４０ｃｍの位置に扇風機を配置し、正面側から実施例または比較例１のパンツに向けて送風した。
【００４９】  結果を図１１のグラフに示す。なお、計測値は１分間の計測を３回行い、その３回の各計測値を平均した値である。  この実験例１の結果から、通気口および排気口のない比較例１のスポーツ用パンツよりも通気口および排気口を設けた実施例のスポーツ用パンツの方がパンツ内部の風速が高いことが確認できた。
【００５０】（実験例２）  実験例２として通気口７および排気口１０の有無の相違とパンツ内部の放熱効果の関係を熱抵抗値に基づいて調べた。具体的には実験例１と同じ条件のもとで、実施例と比較例１をサーマルマネキン（京都電子工業社製）に着用させて、パンツ内部における熱抵抗値を比較した。
【００５１】  熱抵抗値は、以下の手順により測定した値である。＜熱抵抗値の測定手順＞１．１９箇所あるサーマルマネキンの測定部位のうち（図１６参照）、スポーツ用パンツによって覆われる６箇所（６番、７番、１２番、１３番、１６番、１７番）の部位を測定対象とする。２．気温２０℃、湿度５０％に保持された人工気象室内において、パンツを着用させたサーマルマネキンの前方からパンツに向けて送風する。３．上記６箇所の表面温度の平均値が一定温度（３３℃）になるように電力量（Ｗ）を制御する。４．表面温度が一定になった時点から、送風状態において表面温度を一定温度（３３℃）に保つために必要な電力量を１０秒ごとに１５分測定し、その平均値を算出する。５．４．で算出した平均電力量から単位面積当たりの電力量＝発熱量（Ｗ／ｍ２）を求め、下記式から熱抵抗値を算出する。  熱抵抗値（ｍ２Ｋ／Ｗ）＝（表面温度−環境温度）／発熱量
【００５２】  結果を図１２のグラフに示す。
【００５３】  この結果から実施例の方が、比較例２よりも熱抵抗値が小さいということがわかる。熱抵抗値が小さいということは、パンツ内の放熱効果が大きいということであり、放熱効果が大きいということは冷却効果が高いといえる。すなわち、実施例は比較例２よりも冷却効果が大きいということが確認できた。
【００５４】（実験例３）  実験例３として排気口１０の有無の相違とパンツ内部の放熱効果との関係を調べた。具体的には実施例の排気口１０のみをテープで塞いだスポーツ用パンツを比較例３とし、実験例２と同じ方法によりサーマルマネキンの熱抵抗値を測定した。
【００５５】  その結果を図１３のグラフに示す。同グラフに示されるように、排気口１０を有する実施例の方が排気口１０を有しない比較例３よりも熱抵抗値が小さかった。すなわち、実施例の方が比較例３よりも放熱効果が大きかった。これは実施例のスポーツ用パンツが排気口１０を有することによって、通気口９からパンツ内部に流入した空気が排気口１０から抜けるようにパンツ内部で空気の流れが発生し、パンツ内部における空気の流れが促進されたことによるものと考えられる。
【００５６】  （実験例４）  実験例４として、覆い部８の縁部の長さの相違とパンツ内部の放熱効果との関係を調べた。具体的には実施例の覆い部８の開口部９側の縁部の長さを開口部９の長辺の長さと同じ長さにしたものを比較例４とし、実験例２と同じ方法によりサーマルマネキンの熱抵抗値を測定した。  その結果を図１７のグラフに示す。同グラフに示されるように、覆い部８の縁部の長さを通気口７の長辺よりも長くした実施例の方が覆い部８の縁部の長さを通気口７の長辺と同じにした比較例４よりも熱抵抗値が小さかった。すなわち、実施例の方が比較例４よりも放熱効果が大きかった。これは実施例のスポーツ用パンツは覆い部８の縁部が長く形成されていることによって前方からの空気を多く受け止めて、パンツ内部に多くの空気が流入したことによるものと考えられる。
【００５７】  （実験例５）  実験例５として、開口部９の開閉の有無の相違とパンツ内部の放熱効果との関係を調べた。具体的には、実施例の覆い部８が立位状態においても開口するように覆い部８を固定したものを比較例５として、実験例２と同じ方法により実施例と比較例５の熱抵抗値を測定した。ただし、覆い部８の開閉の有無による差異を調べるために、サーマルマネキンが屈曲していない立位状態の熱抵抗値も測定し、屈曲状態における熱抵抗値との変化量を調べた。
【００５８】  結果を図１８のグラフに示す。このグラフは立位状態における熱抵抗値と腰を落とした状態における熱抵抗値との比（％）を表している。同グラフに示されるように、立位状態から屈曲状態に姿勢を変える動作をしたときに、覆い部８が開閉する実施例の方が、覆い部８が開閉しない比較例５よりも熱抵抗値の変化量が大きかった。
【００５９】  熱抵抗値の変化量が大きいことによって、覆い部８が常に開いている状態よりも、閉じた状態から開いた状態になった方が局所的および一時的な風速が高まることが想定され、着用者が体感的な涼しさを感じやすくなると考えられる。
【００６０】  以上述べた実施形態においては、スポーツ用パンツとしてテニス用パンツを例に説明したが、本発明はこれに限らず、テニス以外のスポーツ、例えば、ジョギング、バスケットボール、バレーボールなどのパンツなどにも適用可能である。
【００６１】  また、パンツの裾が膝上に位置するショートパンツを例に説明したが、裾の位置は特に限定されず、裾が膝よりも下に位置するパンツであってもよい。
【符号の説明】
【００６２】１        ：スポーツ用パンツ２        ：前部３        ：後部４        ：マチ５        ：伸縮ベルト部６        ：ポケット７        ：通気口８        ：覆い部９        ：開口部１０      ：排気口１１      ：覆い部１２      ：メッシュ生地１３      ：開口部１４      ：メッシュ生地１５      ：側部
【要約】  この発明は、放熱効果のより高いスポーツ用パンツを提供することを目的とする。  パンツ本体に設けた通気口（７）の表面側に、通気口（７）を覆うようにして設けられた覆い部（８）が、パンツ本体を形成する身生地よりも剛軟度が高くて、通気口（７）の長手方向の長さよりも長く形成されており、パンツ本体の背面には、パンツ本体内に取り込んだ空気を外部に排出する排気口（１０）が設けられている。【図１】
0006017732.tif 000002
【図２】
0006017732.tif 000003
【図３】
0006017732.tif 000004
【図４】
0006017732.tif 000005
【図５】
0006017732.tif 000006
【図６】
0006017732.tif 000007
【図７】
0006017732.tif 000008
【図８】
0006017732.tif 000009
【図９】
0006017732.tif 000010
【図１０】
0006017732.tif 000011
【図１１】
0006017732.tif 000012
【図１２】
0006017732.tif 000013
【図１３】
0006017732.tif 000014
【図１４Ａ】
0006017732.tif 000015
【図１４Ｂ】
0006017732.tif 000016
【図１５】
0006017732.tif 000017
【図１６】
0006017732.tif 000018
【図１７】
0006017732.tif 000019
【図１８】
0006017732.tif 000020